(57)【要約】【課題】バラエティに富んだ装飾が可能であるとともに、使い勝手がよい装飾具を提供することを目的としている。【解決手段】帯状体の長手方向の両端縁が連結されてリング状に形成されるとともに、前記帯状体の短手方向の中央部で、リングの全周に沿って設けられ、帯状体の一方の面で１つの切れ目を有する環状筒部を備えた装飾具本体と、前記環状筒部内に挿通されて前記装飾具本体のリングの内径より小径のループ状に保持されたループ状弾性部材とを備える装飾具において、前記ループ状弾性部材は、前記切れ目から環状筒部外に露出する露出部を有し、この露出部には、露出部長さ調整部材が、前記露出部の一部をほぼＵ字形状に保持するとともに、このほぼＵ字形状部分の露出長さを調整可能にループ状弾性部材にスライド可能に装着されていることを特徴としている。【選択図】      図３
2013017719.tif 000002
【特許請求の範囲】
【請求項１】
帯状体の長手方向の両端縁が連結されてリング状に形成されるとともに、前記帯状体の短手方向の中央部で、リングの全周に沿って設けられ、帯状体の一方の面で１つの切れ目を有する環状筒部を備えた装飾具本体と、
前記環状筒部内に挿通されて前記装飾具本体のリングの内径より小径のループ状に保持されたループ状弾性部材と
を備える装飾具において、
前記ループ状弾性部材は、前記切れ目から環状筒部外に露出する露出部を有し、
この露出部には、露出部長さ調整部材が、前記露出部の一部を略Ｕ字形状に保持するとともに、この略Ｕ字形状部分の露出長さを調整可能にループ状弾性部材にスライド可能に装着されていることを特徴とする装飾具。
【請求項２】
ループ状弾性部材は、紐状弾性体を切れ目の一方の口から他方の口に向かって挿通し、紐状弾性体の両端を固着して形成されている請求項１に記載の装飾具。
【請求項３】
露出部長さ調整部材が、中央に２本の上記紐状弾性体を圧接状態で挿通可能な貫通孔を有する珠状体で形成され、紐状弾性体の固着部が前記貫通孔の内径より大きく、かつ、露出部の略Ｕ字形部分に形成されている請求項２に記載の装飾具。
【発明の詳細な説明】
【技術分野】
【０００１】
本発明は、例えば、髪飾りや腕飾りなどとして使用される装飾具に関する。
【背景技術】
【０００２】
必要に応じて、髪飾り、腕飾りなどに使い分けることができる一般にシュシュと称される装飾具がある（例えば、特許文献１参照）。
この装飾具は、例えば、布地や織物地を縫製して得られた筒状体の長手方向の両端を重ね合わせてさらに縫製してリング状をして装飾具本体が形成されるとともに、装飾具本体のリングに沿うように、リング内径より小径のループ状弾性体が装飾具本体内に内蔵されている。
【０００３】
すなわち、上記装飾具は、リング状をした装飾具本体が、リング内径より小径のループ状弾性体によって小径に絞られた状態に保持されている。
そして、使用時においては、髪の毛を束にしてリング内に挿入する、あるいは、手をリング内に挿入して、ループ状弾性体の弾性力によって髪の毛を束ねた状態に保持して頭部の装飾、あるいは、腕飾りとして使用される。
【先行技術文献】
【特許文献】
【０００４】
【特許文献１】意匠登録第９４６９５５号公報
【発明の概要】
【発明が解決しようとする課題】
【０００５】
従来の上記装飾具の場合、１種の装飾具では、髪の毛の束ね方のバリエーションが少ないため、多くの女性は、装飾具本体の布帛の柄や材質はもとより、リング径の異なるものを所持していることが一般的である。
しかし、あまり沢山あると、嵩張り保管場所にも困るとともに、旅先や外出先まで沢山の装飾具を持ち歩くのは邪魔になる。
【０００６】
本発明は、上記事情に鑑みて、バラエティに富んだ装飾が可能であるとともに、使い勝手がよい装飾具を提供することを目的としている。
【課題を解決するための手段】
【０００７】
上記目的を達成するために、本発明にかかる本発明にかかる装飾具は、帯状体の長手方向の両端縁が連結されてリング状に形成されるとともに、前記帯状体の短手方向の中央部で、リングの全周に沿って設けられ、帯状体の一方の面で１つの切れ目を有する環状筒部を備えた装飾具本体と、前記環状筒部内に挿通されて前記装飾具本体のリングの内径より小径のループ状に保持されたループ状弾性部材とを備える装飾具において、前記ループ状弾性部材は、前記切れ目から環状筒部外に露出する露出部を有し、この露出部には、露出部長さ調整部材が、前記露出部の一部をほぼＵ字形状に保持するとともに、このほぼＵ字形状部分の露出長さを調整可能にループ状弾性部材にスライド可能に装着されていることを特徴としている。
【０００８】
本発明において、帯状体としては、特に限定されないが、サテン地、ニット地、レース地などの布帛が挙げられる。
上記布帛の材質としては、アクリルやポリエステルなどの合成繊維や、シルク、麻、毛糸などの天然繊維や、これらの混紡繊維などが挙げられる。
【０００９】
上記ループ状弾性部材は、特に限定されないが、例えば、紐状弾性体を上記切れ目によって形成された環状筒部の一方の開口から他方の口に向かってループ状に挿通したのち、紐状弾性体の両端を固着して形成される。
上記固着方法としては、特に限定されないが、紐状弾性体の両端部同士を結び結束する方法、両端部を接着する方法、両端部を融着する方法などが挙げられる。
紐状弾性体としては、特に限定されず、例えば、丸ゴム、平ゴム、コイルばね等が挙げられるが、丸ゴムが好ましい。
【００１０】
上記露出部長さ調整部材としては、特に限定されないが、例えば、紐状弾性体として、丸ゴムを用いた場合、中央に２本の上記紐状弾性体を圧接状態で挿通可能な貫通孔を有する珠状体が挙げられる。
そして、このとき、紐状弾性体の固着部が前記貫通孔の内径より大きくすることが必要である。
上記露出部長さ調整部材の材質としては、特に限定されず、合成樹脂、金属、木材、皮革、これらの複合材料が挙げられる。
【発明の効果】
【００１１】
本発明にかかる装飾具は、以上のように、帯状体の長手方向の両端縁が連結されてリング状に形成されるとともに、前記帯状体の短手方向の中央部で、リングの全周に沿って設けられ、帯状体の一方の面で１つの切れ目を有する環状筒部を備えた装飾具本体と、前記環状筒部内に挿通されて前記装飾具本体のリングの内径より小径のループ状に保持されたループ状弾性部材とを備える装飾具において、前記ループ状弾性部材は、前記切れ目から環状筒部外に露出する露出部を有し、この露出部には、露出部長さ調整部材が、前記露出部の一部をほぼＵ字形状に保持するとともに、このほぼＵ字形状部分の露出長さを調整可能にループ状弾性部材にスライド可能に装着されているので、露出部調整部材をほぼＵ字形状部分の露出長さが最も短くなるようにスライドさせておけば、装飾具本体のリング内に髪の毛や手首を挿入し、従来の装飾具と同様に髪飾りとして使用することができる。
【００１２】
一方、露出部調整部材をほぼＵ字形状部分の露出長さが長くなるようにループ状弾性部材を環状筒部から引き出して、装飾具本体をそのリング内径が、小径あるいはほぼ０になるように絞り込んで、装飾具本体をほぼリボン状とし、露出部調整部材を切れ目側にスライドさせれば、装飾具本体が露出部調整部材によって容易にほぼリボン状態に保持される。そして、この状態でループ状弾性部材の長く露出したほぼＵ字形状部分に髪の毛を通し結わえれば、リボン状の装飾具としても使用できる。
すなわち、この装飾具は、バラエティに富んだ装飾が可能であるとともに、使い勝手がよい。
【図面の簡単な説明】
【００１３】
【図１】本発明にかかる装飾具の第１の実施の形態であって、その第１状態の平面図である。
【図２】図１の装飾具を露出部長さ調整部材側から見た側面図である
【図３】図１の装飾具のループ状弾性部材の露出長さを長くした第２状態の斜視図である。
【図４】図１の装飾具の装飾具本体の平面図である。
【図５】図４の装飾具本体の環状筒部に紐状弾性体を挿通する状態を説明する斜視図である。
【図６】図５の断面図である。
【図７】図１の第１状態の装飾具を髪飾りとして用いた状態を説明する斜視図である。
【図８】図１の第１状態の装飾具を腕飾りとして用いた状態を説明する斜視図である。
【図９】図３の第２状態の装飾具を髪飾りとして用いた状態を説明する斜視図である。
【図１０】本発明にかかる装飾具の第２の実施の形態であって、その要部をあらわす斜視図である。
【発明を実施するための形態】
【００１４】
以下に、本発明を、その実施の形態をあらわす図面を参照しつつ詳しく説明する。
図１〜図３に示すように、この装飾具Ａは、装飾具本体１と、ループ状弾性部材２と、露出部長さ調整部材３とを備えている。
【００１５】
装飾具本体１は、サテン地、ニット地、レース地などの布帛を用いて、例えば、以下のようにして製造されている。
（１）図示していないが、帯状をした一枚の布帛を裏側が表側になるように短手方向の中央部で二つ折りにしたのち、短手方向に端縁を縫製し、筒状に縫製する。なお、以下、このときの縫製部位を筒状縫製部と記す。
（２）得られた筒状体を偏平な帯状体とするとともに、この帯状体の長手方向の中央部で２つ折りにして長手方向の両端端縁部を上記筒状縫製部と１８０°反対位置のみを少し縫製しない状態で後述する紐状弾性体２１の挿通口となる切れ目１１を残した縫製して、リング状筒状体を作製する。
（３）切れ目１１部分を利用してリング状筒状体を布帛の表側が表となるように反転させる。
（４）リング状筒状体を上記筒状縫製部が幅方向の中央部に位置するように、偏平な筒状にした状態で上記切れ目を挟んで２箇所でリング状に縫製して、図４に示すように、装飾具本体１を作製する。すなわち、上記縫製によってリングの周方向に連続し、一箇所に切れ目１１を備えた環状筒部１２が形成される。
【００１６】
ループ状弾性部材２は、紐状弾性体としての丸ゴム２１を一端から図４及び図５に示すように、切れ目１１を介して環状筒部１２内に挿通し、後述する露出部長さ調整部材３を装着した状態で切れ目１１から露出した両端部を結んで固着することによって形成されている。
ループ状弾性部材２のループ内径は、装飾具本体１のリング内径より小径となっている。
【００１７】
露出部長さ調整部材３は、図４に示すように、中央に貫通孔３１を有する珠状体であって、例えば、合成樹脂製本体の表面が化学メッキ等によって装飾されている。
貫通孔３１の孔径は、２本の丸ゴム２１を挿通した状態で、スライド可能、かつ、２本の丸ゴム２１に沿ってスライド可能となるとともに径となっている。
そして、露出部長さ調整部材３は、上記丸ゴム２１の両端部を貫通孔３１に挿通したのち、丸ゴム２１の両端部を貫通孔３１より大きな結び目に結束して固着部２２を形成することでループ状弾性部材２の露出部２３に抜け止め状態で装着されている。
【００１８】
この装飾具Ａは、上記のように構成されているので、図２に示すように、露出長さ調整部材３を固着部２２にほぼ接するまでスライドさせておくと、図１に示すように、中央に髪の毛や腕が挿通可能なほぼループ状弾性部材２の内径の孔１ａを備えた状態となる。
そして、この状態で図７に示すように、上記孔１ａ内に髪の毛Ｈを所望量束ねて通す、あるいは、図８に示すように手首Ｌを通すようにすれば、従来の装飾具と同様に髪飾りや腕飾りとして使用できる。
【００１９】
また、図３に示すように、ループ状弾性部材２の露出長さを大きくし、露出部２３のＵ字形部分に図９に示すように、髪の毛Ｈを所望量束ねて通すようにすれば、装飾具本体１がリボン状になった髪飾りとして使用することができる。
【００２０】
以上のように、この装飾具Ａは、従来の装飾具に比べ、バラエティに富んだ装飾が可能である。
しかも、露出部長さ調整部材３を備えているので、露出部２３のＵ字状部分を用いて髪の毛に留める際（図３及び図９の状態）に、ループ状弾性部材２にかかる負荷が露出部長さ調整部材３によって受けられ、装飾具本体１の切れ目１１が広がる方向に直接負荷が働かないので、装飾具本体１の保護を図ることができる。
【００２１】
図１０は、本発明の装飾具の第２の実施の形態をあらわしている。
図１０に示すように、この装飾具Ｂは、ループ状弾性体１の露出部２３に、以下に説明するように、ストラップ４が設けられている以外は、上記装飾具Ａと同様の構成をしている。
【００２２】
すなわち、ストラップ４は、ストラップ本体４ａと、本体着脱支持部４ｂとを備えている。
ストラップ本体４ａは、ストラップ紐４１と、このストラップ紐４１をループ状に支持するように設けられた雄ねじ部４２とを備えている。
本体着脱支持部４ｂは、紐状弾性体２１の固着部を隠蔽するようにループ状弾性体２に取り付けられるとともに、前記雄ねじ部４２が螺合する雌ねじ穴を備えている。
【００２３】
この装飾具Ｂは、ストラップ紐４１を介して携帯電話や、ハンドバッグ、トートバッグなどに取り付けておけば、携帯電話やバッグの装飾としても用いることができる。そして、例えば、外出先で気分を変えたい時などに、雄ねじ部４２の螺合を解除して本体着脱支持部４ｂとともに、ストラップ本体４ａ部分から取り外せば、上記装飾具Ａと同様に髪飾りや腕飾りとして簡単に使用することができる。
また、本体着脱支持部４ｂの雌ねじ穴を利用して、別途用意された装飾玉等を取り付けて、さらに装飾性を上げることもできる。
【００２４】
本発明は、上記の実施の形態に限定されない。例えば、上記の実施の形態では、装飾具本体が１種類の布帛のみを縫製することによって形成されていたが、幅方向の両端縁に沿ってレース地のテープを縫製や接着する、あるいは、ビーズやラインストーンなどを装飾具本体の所望位置に縫製や接着してさらに装飾を施すようにしてもよい。
上記の実施の形態では、装飾具本体が、１枚の帯状布帛を折り畳み縫製することで筒状体を形成するようにしていたが、２枚以上の帯状布帛を縫製して形成するようにしてもよいし、意匠性を高めるために、異なる柄、色、材質の複数の布帛を用いて装飾具本体を形成するようにしてもよい。
【００２５】
上記の実施の形態では、露出長さ調整手段が、貫通孔を備えた珠状をしていて、貫通孔の内壁面と丸ゴムとの摩擦抵抗のみで露出長さ調整手段を所望位置に固定するようにしていたが、よりしっかりとした固定状態を得るために、露出長さ調整手段本体と、この露出長さ調整手段本体に内蔵されたスプリングによって孔の中心軸がずれるように付勢されるストッパボタンとを備える構成として、スライドさせる場合には、ストッパボタンをスプリングの付勢力に抗して露出長さ調整手段本体側に押し込み、孔と孔とを一致させれば、露出長さ調整手段が容易にスライドし、ストッパボタンの押し込みを解除するとスライドしないようにできるようにしてもよい。
【００２６】
上記の実施の形態では、１つの貫通孔を備えた珠状体で形成されていたが、紐状弾性体が１本圧接状態で挿通可能な貫通孔を２本平行に設けた露出長さ調整手段としても構わない。
また、上記の実施の形態では、露出長さ調整手段が珠状体であってが、珠状でなくてもよい。すなわち、筒状や偏平な板状や動物や花などの装飾を施されたものでも構わない。
【符号の説明】
【００２７】
Ａ，Ｂ  装飾具
１  装飾具本体
１１  切れ目
１２  環状筒部
２  ループ状弾性部材
２２  固着部
２３  露出部
２１  丸ゴム（紐状弾性体）
３  露出部長さ調整部材
３１  貫通孔
【図１】
2013017719.tif 000003
【図２】
2013017719.tif 000004
【図３】
2013017719.tif 000005
【図４】
2013017719.tif 000006
【図５】
2013017719.tif 000007
【図６】
2013017719.tif 000008
【図７】
2013017719.tif 000009
【図８】
2013017719.tif 000010
【図９】
2013017719.tif 000011
【図１０】
2013017719.tif 000012